(57)【要約】【課題】水滴の落下音のみを共鳴でき、多種多様な水滴音のリズムや音色を発生でき、水滴を生成する最適な水量を容易に調節できるようにする。【解決手段】壷状の水琴窟本体１の底部に水瓶１０を連結し、水瓶１０の貯留水にポンプ２０を水没させ、水琴窟本体１の上面開口部に水滴落下用天板３０を設け、水琴窟本体１の側壁に穿設された音響穴２にラッパ状の音量拡大音響管４０を設け、複数本の給水量調整用細管２５の下端開口部をポンプ２０に連結し、給水量調整用細管２５の上端開口部を、水滴落下用天板３０の水滴落下兼細管挿通穴３１や給水溝３２、水滴落下用天板３０に敷設された保水部材３４に位置させ、給水量調整用細管２５の上端開口部から水滴落下用天板３０を介して水琴窟本体１の内部に水滴を注ぎ、水琴窟本体１の貯留水を打つその水滴音を、水琴窟本体１の音響穴２、音量拡大音響管４０を通して外部に放出する。【選択図】    図１
2005010332.tif 000002
【特許請求の範囲】
【請求項１】
底部に所定量の水を貯留した壷状の水琴窟本体を備え、該水琴窟本体の上面開口部から内部に注がれた水滴が、水琴窟本体の貯留水の水面を打つその音色を水琴窟本体の側壁に穿設された音響穴から外部に放出させる水琴窟において、水琴窟本体の底部に連結された水瓶と、水瓶の貯留水に水没されたポンプと、下端開口部がポンプに連結されると共に、上端開口部が水琴窟本体の上面開口部、又は、水琴窟本体の内部の少なくともいずれか一方に位置した複数本の給水量調整用細管と、下端開口部がポンプに連結されると共に、上端開口部が水瓶の貯留水に浸漬された複数本の排水量調整用細管とが設けられたことを特徴とする水琴窟。
【請求項２】
水琴窟本体の上面開口部には、水滴落下用天板が設けられ、該水滴落下用天板には、複数の水滴落下兼細管挿通穴が穿設されると共に、複数の給水溝が形成されてなることを特徴とする請求項１に記載の水琴窟。
【請求項３】
水滴落下兼細管挿通穴は、水滴落下用天板に分散して穿設されてなることを特徴とする請求項２に記載の水琴窟。
【請求項４】
水琴窟本体の音響穴には、ラッパ状の音量拡大音響管が設けられてなることを特徴とする請求項１乃至３のいずれか１項に記載の水琴窟。
【請求項５】
給水量調整用細管、及び、排水量調整用細管には、消音部材が設けられてなることを特徴とする請求項１乃至４のいずれか１項に記載の水琴窟。
【請求項６】
水滴落下用天板の上面に保水部材を敷設したことを特徴とする請求項１乃至５のいずれか１項に記載の水琴窟。
【請求項７】
水滴落下用天板の裏面には、複数の突起が設けられてなることを特徴とする請求項１乃至６のいずれか１項に記載の水琴窟。
【請求項８】
水琴窟本体と水瓶との脚付き連結台が設けられてなることを特徴とする請求項１乃至７のいずれか１項に記載の水琴窟。
【請求項９】
水琴窟本体が、水滴音を外部に放出できるように地中に埋設されてなることを特徴とする請求項１乃至８のいずれか１項に記載の水琴窟。
【請求項１０】
水瓶には、水位を検出する水位検出手段が設けられてなることを特徴とする請求項１乃至９のいずれか１項に記載の水琴窟。
【請求項１１】
底部に所定量の水を貯留した壷状の水琴窟本体の底部に水瓶を連結すると共に、水瓶の貯留水にポンプを水没させ、さらに、水琴窟本体の上面開口部に水滴落下用天板を設ける共に、水琴窟本体の側壁に穿設された音響穴にラッパ状の音量拡大音響管を設け、加えて、複数本の給水量調整用細管の下端開口部をポンプに連結し、給水量調整用細管の上端開口部を、水滴落下用天板に穿設された水滴落下兼細管挿通穴、水滴落下用天板に形成された給水溝、水滴落下用天板の上面に敷設された保水部材の少なくともいずれか一方に位置させ、給水量調整用細管の上端開口部から水滴落下用天板を介して水琴窟本体の内部に水滴を注ぎ、該水滴が水琴窟本体の貯留水の水面を打つその音色を、水琴窟本体の音響穴、音量拡大音響管を通して外部に放出するようにしたことを特徴とする水琴窟の水滴音の発生方法。
【発明の詳細な説明】
【０００１】
【発明の属する技術分野】
本発明は、壷状の水琴窟本体の貯留水に水滴を落下させ、その水滴音を外部に放出する水琴窟、及び、水琴窟の水滴音の発生方法に関する。
【０００２】
【従来の技術】
従来の水琴窟としては、日本式庭園の露地に蹲踞と一体にして敷設された江戸時のものが知られており、その構造は蹲踞の手洗い水を土中に埋設した逆さ瓶の溜まり水に落下させ、その落下音を外部に放出させていた。しかしながら、この水琴窟においては、微かな音量しか発生せず、特定の場所に大がかりな構造物を建設するもので費用も高額なものであった。
【０００３】
近年における従来の水琴窟としては、例えば、特開２００３−４４０６０号に示すように、側壁に音響穴の穿設された水琴窟本体と、水琴窟本体の上壁に設置された水瓶と、水琴窟本体内の貯留水に水没されたポンプと、水琴窟本体に内装された水滴落下生成器とから構成されたものが公知になっている。
【０００４】
そして、ポンプによって水琴窟本体の水を水瓶に汲み上げて、水滴生成器で、水瓶の水を制御して水滴を滴下させ、水琴窟本体の音響穴から水滴音を外部に放出させている。
【０００５】
また、他の従来の水琴窟としては、特開２００２−２３６４９１号に示すように、壷状の水琴窟本体と、水琴窟本体の上面開口部に設けられた水滴落下用天板と、水琴窟本体の貯留水に水没されたポンプと、下端部がポンプに連結された導管と、水滴落下用天板から導出された導管の上端部に設けられたバルブと、該バルブに連結された給水管とから構成されたものが公知になっている。
【０００６】
この場合、水琴窟本体の貯留水をポンプによって汲み上げて、汲み上げた水量をバルブによって調整し、水滴落下用天板の中央部に穿設された水滴落下穴から滴下させ、その滴下音を外部に放出している。
【０００７】
さらに、他の従来の水琴窟としては、特開平７−２９５５７９号に示すように、上壁の中央部に水滴落下穴の穿設された水琴窟本体と、該水琴窟本体の上壁に設置された水瓶と、該水瓶の底面の中央部に穿設された給水穴と、水瓶の底部に設けられた水量調整部材とから構成されたものが公知になっている。
【０００８】
そして、水瓶に給水して所定流量の水を貯留すると、水瓶の給水穴から水琴窟本体の水滴落下穴に給水される。この際、網、玉砂利、布などの水量調整部材によって水琴窟本体の水滴落下穴への水量が調整されることになり、水琴窟本体に水滴が落下し、この水滴音が外部に放出される。
【０００９】
【発明が解決しようとする課題】
しかしながら、特開２００３−４４０６０号に示す水琴窟の場合、ポンプが水琴窟本体の貯留水に水没されているため、ポンプの回転音や振動が発生することになり、発生した水滴の落下音が雑音と共鳴し効果は半減するという問題がある。
【００１０】
しかも、水琴窟本体に水滴落下生成器を内装しているため、その分コスト高になるという問題がある。
【００１１】
また、特開２００２−２３６４９１号に示す水琴窟の場合、特開２００３−４４０６０号に示す水琴窟と同様に、ポンプの作動音によって雑音が発生するという問題に加えて、水滴落下用天板の中央部の水滴落下穴からのみ滴下するため、多種多様な水滴音のリズムや音色を発生させることが困難であるという問題がある。
【００１２】
さらに、特開平７−２９５５７９号に示す水琴窟の場合、特開２００２−２３６４９１号に示す水琴窟と同様に、多種多様な水滴音のリズムや音色を発生させることが困難であるという問題に加えて、網、玉砂利、布などの水量調整部材によって、水琴窟本体の水滴落下穴への水量が調整されているため、水滴を生成する最適な水量を調節するのが困難であるという問題がある。
【００１３】
そこで、本発明は上記問題点に鑑み、水滴の落下音のみを共鳴させることができて、多種多様な水滴音のリズムや音色を発生させることができると共に、水滴を生成する最適な水量を容易に調節できる安価な水琴窟、及び、水琴窟の水滴音の発生方法を提供することを目的とする。
【００１４】
【課題を解決するための手段】
上記課題を解決するために、本発明の水琴窟は、請求項１に示す如く、底部に所定量の水を貯留した壷状の水琴窟本体を備え、該水琴窟本体の上面開口部から内部に注がれた水滴が、水琴窟本体の貯留水の水面を打つその音色を水琴窟本体の側壁に穿設された音響穴から外部に放出させる水琴窟において、水琴窟本体の底部に連結された水瓶と、水瓶の貯留水に水没されたポンプと、下端開口部がポンプに連結されると共に、上端開口部が水琴窟本体の上面開口部、又は、水琴窟本体の内部の少なくともいずれか一方に位置した複数本の給水量調整用細管と、下端開口部がポンプに連結されると共に、上端開口部が水瓶の貯留水に浸漬された複数本の排水量調整用細管とを設けたものである。
【００１５】
したがって、ポンプによって一定の圧力で水瓶から給水量調整用細管を介して水琴窟本体に給水される。この際、水琴窟本体の上面開口部に位置した給水量調整用細管の上端開口部、又は、水琴窟本体の内部に位置した給水量調整用細管の上端開口部の少なくともいずれか一方からの水滴が水琴窟本体に落下することになる。
【００１６】
例えば、水琴窟本体の上面開口部に位置した給水量調整用細管の上端開口部と、水琴窟本体の内部に位置した給水量調整用細管の上端開口部とからそれぞれ落下距離の異なる水滴を落下するようにすれば、落下距離によって異なる水滴音が外部に放出されることになる。
【００１７】
また、水琴窟本体の上面開口部の中心部に給水量調整用細管の上端開口部を位置させたり、水琴窟本体の内壁面の近傍に給水量調整用細管の上端開口部を位置させたりしても、異なる水滴音が発生することになる。
【００１８】
さらに、ポンプが水琴窟本体の貯留水ではなく、水瓶の貯留水に水没されているため、ポンプの作動による雑音が大幅に低減され、水滴音のみが聞こえるようになる。
【００１９】
また、請求項２に示す如く、水滴落下用天板を水琴窟本体の上面開口部に設け、複数の水滴落下兼細管挿通穴を水滴落下用天板に穿設すると共に、複数の給水溝を水滴落下用天板に形成したものである。
【００２０】
そうすれば、給水量調整用細管の上端開口部からの水滴が水滴落下兼細管挿通穴や給水溝を介して水琴窟本体に落下することになるため、異なるリズムの水滴音が発生する。この場合、給水溝によって、給水量調整用細管から給水された水が、水滴落下用天板において、均一化される。さらに、給水量調整用細管からの水滴による給水であることから、水滴が水滴落下兼細管挿通穴をゆっくりと通過することで、大きな水球が生成され、大きな水滴音を発生させることになる。
【００２１】
さらに、給水量調整用細管の上端開口部を水滴落下兼細管挿通穴に挿通してもよい。この場合、前記と同様に、水滴落下兼細管挿通穴に挿通された給水量調整用細管の上端開口部と、水琴窟本体の貯留水の水面との距離を位置調整して、異なる音色の水滴音を発生させてもよい。
【００２２】
加えて、水滴落下兼細管挿通穴と給水溝とを連通させてもよく、異なる穴径の水滴落下兼細管挿通穴を穿設したり、幅や深さの異なる給水溝を形成したりするようにしてもよい。また、給水溝に水勾配を設けてもよい。
【００２３】
要するに、水琴窟本体に落下する水滴の音色、リズム、余韻が異なるように、給水量調整用細管の上端部の位置、水滴落下兼細管挿通穴の形状や大きさ、給水溝の形状や大きさを適宜設計変更するようにすればよい。
【００２４】
さらに、請求項３に示す如く、水滴落下兼細管挿通穴は、水滴落下用天板に分散すべく穿設されてなるものである。
【００２５】
例えば、水滴落下用天板が平面視円板形状である場合、水滴落下兼細管挿通穴を同心円上、渦巻き線上、十字線上、放射線上のいずれかで穿設するようにしてもよい。また、水滴落下用天板が平面視多角形状である場合、水滴落下兼細管挿通穴を多角形の重心と各辺の中心を結ぶ二等分線上に穿設するようにしてもよい。さらに、水滴落下用天板の中心部を少なく、周縁部を多くなるように穿設したり、水滴落下用天板の中心部を多く、周縁部を少なくするように穿設したりするようにしてもよい。
【００２６】
上述したように、水滴落下兼細管挿通穴を穿設すれば、水滴落下の位置を自由に選択でき、水滴の落下位置によって異なる多種多様な音色を楽しむことができる。さらに、水滴落下兼細管挿通穴を適宜選択することで、給水量調整用細管の使用本数が決定され、給水量調整用細管の使用本数によって水量が調整でき、ずれて聞こえてくる水滴音の間隔と一定のリズムを選択できる。
【００２７】
加えて、請求項４に示す如く、ラッパ状の音量拡大音響管を水琴窟本体の音響穴に設けるようにしたものである。
【００２８】
よって、ラッパ状の音量拡大音響管によって、水琴窟本体の音響穴から放出される水滴音が一方向に集約され、且つ、その音量が拡大されて外部に放出されることになる。例えば、水琴窟本体に複数の音響穴を穿設し、各音響穴に音量拡大音響管を設けて前後左右から水滴音を放出するようにすれば、放出された水滴音によって包み込まれるようになり、十分な音響効果が得られる。
【００２９】
この音量拡大音響管は、例えば、水琴窟本体の音響穴と略同一径の導入口と、朝顔状に開口した放出口と、中央部の細径部とを有する円弧状の曲管が好ましく、水滴音の音量を放散せず集約して聴くことができる。
【００３０】
さらに、請求項５に示す如く、消音部材を、給水量調整用細管及び排水量調整用細管に設けることが好ましい。
【００３１】
この場合、消音部材によって、給水量調整用細管及び排水量調整用細管における流水音が消されることになり、より一層雑音が低減されることになり、水滴音のみが聞こえるようになる。
【００３２】
加えて、請求項６に示す如く、保水部材を水滴落下用天板の上面に敷設するようにしてもよい。
【００３３】
例えば、スポンジや綿の保水部材を水滴落下用天板の上面に敷設すれば、給水量調整用細管からの水滴が保水部材によって一旦保水されることで、水琴窟本体に落下する水滴の速度に変化をもたせることができる。このため、給水量調整用細管からの水滴とは異なる水滴音を楽しめる。また、水滴落下用天板の給水溝と同様に、保水部材が飽和状態になることで、水滴落下用天板に略均一にいきわたり、飽和状態の保水部材からの水が水滴落下用天板の水滴落下兼細管挿通穴をゆっくりと通過することで、大きな水球が生成される。
【００３４】
また、請求項７に示す如く、複数の突起を水滴落下用天板の裏面に設けるのが望ましい。
【００３５】
そうすれば、水琴窟本体の内部において、蒸発した水分が水滴落下用天板の裏面に結露し付着して落下することになるため、給水量調整用細管からの水滴とは異なる水滴音が発生することになる。
【００３６】
さらに、請求項８に示す如く、脚付き連結台によって水琴窟本体と水瓶とを連結するようにしてもよい。
【００３７】
よって、脚付き連結台によって水琴窟本体と水瓶とが連結されるため、所望の場所に水琴窟を容易に移動できる。脚付き連結台の脚部によって、水琴窟の設置面と水琴窟本体の底部との間に空間が形成されることになり、水琴窟本体の底部からの反響音による音響効果が得られるようになる。
【００３８】
加えて、請求項９に示す如く、水滴音を外部に放出できるように水琴窟本体を地中に埋設してもよい。
【００３９】
例えば、水琴窟本体と水瓶とを連結した状態で箱詰めし、該箱の上面を開口した状態で地中に埋設すれば、水琴窟本体の音響穴から水滴音を容易に外部に放出できる。また、音量拡大音響管を水琴窟本体の音響穴に設けて、音量拡大音響管の放出口のみを地面から露呈するようにしてもよい。
【００４０】
さらに、請求項１０に示す如く、水位を検出する水位検出手段を水瓶に設けるのが望ましい。
【００４１】
例えば、液面フロートや水位検出センサを水瓶に設けて、水琴窟本体の貯留水の量を一定に保持するようにしてもよい。なお、これら水位検出部材を水琴窟本体に設けることも可能であるが、水滴音の音響効果を考慮すると、水琴窟本体内は、貯留水のみであることが好ましい。
【００４２】
また、本発明の水琴窟の水滴音の発生方法は、請求項１１に示す如く、底部に所定量の水を貯留した壷状の水琴窟本体の底部に水瓶を連結すると共に、水瓶の貯留水にポンプを水没させ、さらに、水琴窟本体の上面開口部に水滴落下用天板を設ける共に、水琴窟本体の側壁に穿設された音響穴にラッパ状の音量拡大音響管を設け、加えて、複数本の給水量調整用細管の下端開口部をポンプに連結し、給水量調整用細管の上端開口部を、水滴落下用天板に穿設された水滴落下兼細管挿通穴、水滴落下用天板に形成された給水溝、水滴落下用天板の上面に敷設された保水部材の少なくともいずれか一方に位置させ、給水量調整用細管の上端開口部から水滴落下用天板を介して水琴窟本体の内部に水滴を注ぎ、該水滴が水琴窟本体の貯留水の水面を打つその音色を、水琴窟本体の音響穴、音量拡大音響管を通して外部に放出するようにしたものである。
【００４３】
したがって、給水量調整用細管からの水滴による給水が、水滴落下用天板の給水溝、又は、水滴落下用天板の保水部材によって、水滴落下用天板の上面に略均一にいきわたることになり、水滴落下用天板の水滴落下兼細管挿通穴を通して水滴が分散して落下することになる。しかも、落下した水滴の位置によって、多種多様な音色や音量と好みのリズムを聞くこともできる。また、給水量調整用細管によって、多種多様な音色や音量と好みのリズムを左右する水量の調節を容易に実現できる。さらに、給水量調整用細管に供給される水量はポンプ圧によって一定に調整されているので、給水量調整用細管の本数の増減によって多種多様な音色や音量と好みのリズムを聞くこともできる。加えて、音量拡大音響管によって、水滴落下により発生した水滴音の共鳴、音量拡大が実現され、本願特有の水滴音を醸し出すことができる。水滴音に指向性を持たせることで、聞く人の位置に水滴音を容易に集約できる。
【００４４】
【発明の実施の形態】
本発明の一実施形態の水琴窟を図１〜図４を参照して説明する。
本発明の水琴窟は、底部に所定量の水を貯留した壷状の水琴窟本体１と、該水琴窟本体１の底部に連結された水瓶１０と、該水瓶１０の貯留水に水没されたポンプ２０と、該ポンプ２０に連結された複数本の給水量調整用細管２５，…、及び、複数本の排水量調整用細管２７，…と、水琴窟本体１の上面開口部に設けられた水滴落下用天板３０と、水琴窟本体１の上面開口部の周縁部に固着された琴状細管案内具３５と、水琴窟本体１の側壁に穿設された音響穴２に設けられたラッパ状の音量拡大音響管４０と、水琴窟本体１と水瓶１０とを連結する脚付き連結台５０とから構成されている。
【００４５】
水琴窟本体１は、粘土で成形してよく乾燥させ、その後、陶器の場合は約８００℃で素焼きし、水琴窟本体１の内面及び外面に釉薬を施した後、約１２５０℃前後の高温で焼成する。水琴窟本体１の高さ、上面開口部の直径、側壁の厚さによって水滴音の響きが異なるため、上面開口部の直径は外径で３５ｃｍ前後とし、側壁の厚さは１０ｍｍ前後としている。なお、水琴窟本体１の内面及び外面に釉薬を施すことにより、澄みきった金属性の高い共鳴音を発生することができる。
【００４６】
さらに、水琴窟本体１の側壁には、水琴窟本体１の全体の高さの上位３分の１程度の位置に音響穴２が穿設されている。この音響穴２の直径は６ｃｍ〜７ｃｍで、後述する音量拡大音響管４０が取り付けられる。音響穴２のみでも水滴音は聞こえるが、音量拡大音響管４０を取り付けた方が、音量、音響の効果が大きい。
【００４７】
加えて、水琴窟本体１の側壁には、複数の取手３，…が設けられており、脚付き連結台５０によって一体化された水琴窟の搬送が簡便になる。また、取手３，…の近傍には、給水ホース２６、及び、排水ホース２８を支持するアーム４が設けられている。さらに、水琴窟本体１の側壁下部には、連結リング５が設けられている。
【００４８】
水瓶１０は、上面開口部の内径が１２ｃｍ〜１５ｃｍ程度、高さが２５ｃｍ程度、側壁の厚さが１０ｍｍ程度の陶器の瓶を使用する。なお、水瓶１０は、水琴窟本体１と同様に、陶磁器であってもよい。
【００４９】
そして、水瓶１０には、水琴窟本体１内の水位検出手段として、逆Ｕ字形状に屈曲して形成された測定バー１１と、該測定バー１１の先端部に固着された発泡材や合成樹脂材からなるフロート１２と、水瓶１０の側壁に刻印された水位目盛１３とが設けられている。さらに、測定バー１１は、水瓶１０の内壁に設けられた複数の環状のガイド１４，…に挿通されて、測定バー１１のフロート１２が水瓶１０の貯留水に浸漬され、フロート１２が位置する水位目盛１３を読み取ることで、水瓶１０の水量が実測されるようになっている。
【００５０】
さらに、水瓶１０の側壁上部には、フック１５が設けられており、水琴窟本体１の連結リング５に係止するようになっている。よって、水琴窟本体１と水瓶１０が容易に一体化できて移動が簡便になる。
【００５１】
加えて、水瓶１０は、水琴窟本体１と連結ホース１６で連結されている。この連結ホース１６は、樹脂又はゴム製のホースが使用されており、水瓶１０のポンプ２０の振動をできるだけ遮断するように設計されている。さらに、連結ホース１６を取り外すことによって、水琴窟本体１及び水瓶１０の貯留水の交換が可能になる。
【００５２】
水瓶１０と水琴窟本体１とを一体成形しない理由は、水琴窟本体１が陶磁器であることから、焼成時に収縮のバランスを崩しやすく、ひび割れの原因となりやすいためである。
【００５３】
ポンプ２０としては、振動が小さくて、水量調整可能な電動の小型水中ポンプが使用されており、水瓶１０の貯留水を吸い上げる吸水口２１と、吸い上げた水を給水量調整用細管２５，…、及び、排水量調整用細管２７，…へ送り出す送水口２２と、底部に取り付けられた複数の吸盤２３，…とを具備している。そして、各吸盤２３，…によって、ポンプ２０が水瓶１０の底面に吸着されて固定されている。なお、図中の２４は電気コードである。また、ポンプ２０を水瓶１０の貯留水に水没させた理由は、ポンプ２０を水琴窟本体１の貯留水に水没させると、ポンプ２０の振動が水琴窟本体１に発生して、水滴音の音響に影響を与えるためである。
【００５４】
さらに、ポンプ２０の送水口２２には、束ねられた給水量調整用細管２５，…、及び、排水量調整用細管２７，…が、その上端部から導出された一本の給水ホース２６が接続されている。
【００５５】
そして、ポンプ２０によって、給水圧が略一定に調節された水量が、給水ホース２６を通して給水量調整用細管２５，…、及び、排水量調整用細管２７，…にそれぞれ給水される。給水量調整用細管２５，…には、水滴を生成するのに必要な水量が送水されると共に、排水量調整用細管２７，…には、余剰の水量が送水される。よって、水琴窟本体１の水が、水瓶１０、排水量調整用細管２７，…を通って再度水瓶１０に戻されることになり、水琴窟本体１の貯留水の水量が一定に保持されることになる。
【００５６】
給水量調整用細管２５，…は、例えば、樹脂又はゴム製の内径１ｍｍ〜１．５ｍｍ程度の細管が使用されている。さらに、この給水量調整用細管２５，…には、接着剤等により漏水防止が施されている。そして、給水量調整用細管２５，…は、上述したように、ポンプ２０からの一定圧に調整された水量が給水ホース２６を介して供給されており、必要本数だけ水滴落下用天板３０に案内すれば多種多様な水滴音の音色や音量が発生することになる。この水滴音の音色や音量は、ポンプ２０の給水圧、及び、給水量調整用細管２５，…の本数分の給水量によって調整できる。例えば、多数の音響を望む場合には、給水量調整用細管２５，…を増やし、少数の音響・リズムを望む場合には、給水量調整用細管２５，…を少なくすればよい。
【００５７】
排水量調整用細管２７，…は、給水量調整用細管２５，…と同様に、漏水防止が施された樹脂又はゴム製の内径１ｍｍ〜１．５ｍｍ程度の細管が使用されている。そして、束ねられた排水量調整用細管２７，…の下端側は、給水ホース２６の上端部に挿通されており、排水量調整用細管２７，…の上端側は、排水ホース２８の上端部に挿通されている。この排水ホース２８の下端部は、水瓶１０の貯留水に浸漬されている。
【００５８】
さらに、給水及び排水による雑音を消去するために、給水ホース２６の内部及び排水ホース２８の内部の所定箇所に、例えば、スポンジ又は不腐食性の材料、例えば、ポリエステル繊維からなる布などの消音部材２９，…を内挿することによって、給水ホース２６、及び、排水ホース２８の流水音を消音している。
【００５９】
加えて、給水ホース２６、及び、排水ホース２８は、上述した水琴窟本体１のアーム４によって直立した状態で平行して支持されている。
【００６０】
水滴落下用天板３０は、平面視円板形状（盆形）を呈し、約７ｍｍ〜８ｍｍの厚さを有している。さらに、水滴落下用天板３０は、水琴窟本体１と一体に成形されて焼成されている。そして、水滴落下用天板３０は、水滴の落下距離をできるだけ大きくするため、水琴窟本体１の貯留水の水面からの高さが６５ｃｍ〜７０ｃｍ程度になっている。この場合、水琴窟本体１の貯留水の水面の高さは、１５ｃｍ〜２０ｃｍ程度が望ましく、水滴音の音響も効果的である。
【００６１】
また、水滴落下用天板３０には、例えば、直径１．５ｍｍ〜２ｍｍ程度の水滴落下兼細管挿通穴３１，…が十字線上に沿って複数形成されると共に、幅１ｍｍ、深さ１ｍｍ程度の複数の給水溝３２，…が形成されている。さらに、各給水溝３２，…の間に水滴落下兼細管挿通穴３１，…が位置している。加えて、給水溝３２，…は、水滴落下用天板３０における一本の中心線上に沿って形成された直線状の溝と、該溝を挟んでその両側に平行して形成された複数の直線状の溝とで構成されている。そして、給水量調整用細管２５，…による点滴方式によって、水滴落下用天板３０の水滴落下兼細管挿通穴３１，…において、大きな水滴が作られることになる。即ち、給水量調整用細管２５，…からの水が滴下によって水滴落下用天板３０に時間を掛けて給水される。さらに、水滴落下用天板３０の給水溝３２，…によって、水滴による水滴落下用天板３０への給水が均一化される一方、水滴落下兼細管挿通穴３１，…の上端開口部から徐々に水が供給された水が、水滴落下兼細管挿通穴３１，…の下端開口部では、水滴の表面張力によって大きな水球が生成され、水琴窟本体１の下部に貯水された水面に、大きい質量の水球が大きな位置エネルギーを持った状態で落下することになり、水琴窟本体１の貯留水の水面を強く且つ大きく打つことになり、音量の拡大された水滴音が発生することになる。
【００６２】
さらに、水滴落下用天板３０の裏面には、複数の突起３３，…が設けられている。各突起３３，…は、直径約５ｍｍ、高さ約５ｍｍ程度の逆円錐体の形状を呈している。各突起３３，…には、水琴窟本体１の貯留水の自然蒸発した水分が結露して水滴となって付着する。この付着した水滴も水琴窟本体１の貯留水に落下することになり、その水滴音を外部に放出でき、自然発生した水滴音の響きを聞くことができる。この自然発生した水滴音は、上述した水滴落下用天板３０からの水滴音とは、音色、リズム、余韻において異なるものである。
【００６３】
加えて、水滴落下用天板３０の上面には、例えば、スポンジ又は不腐食性の材料、例えば、ポリエステル繊維からなるシート状の保水部材３４が全体にわたって敷設されている。この保水部材３４は、５ｍｍ〜７ｍｍの厚さを有している。
【００６４】
琴状細管案内具３５は、平坦な直方体形状を呈し、底部の中央部が水琴窟本体１の上面開口部の周縁部に支持体３７を介して固着されている。さらに、一端部が水琴窟本体１の上面開口部の中央部の上方に位置すると共に、他端部が水琴窟本体１の側方に突出している。加えて、その両端部には、短手方向に沿って複数の貫通穴３６，…が穿設されている。
【００６５】
そして、給水量調整用細管２５，…は、琴状細管案内具３５の他端部の各貫通穴３６，…の下方から挿通されると共に、琴状細管案内具３５の下面から上面に導出されている。さらに、上面に導出された給水量調整用細管２５，…は、琴状細管案内具３５の長手方向に沿って這わされて、一端部の各貫通穴３６，…の上方から挿通される共に、琴状細管案内具３５の上面から下面に導出され、続いて、水滴落下用天板３０の上面に導出されている。
【００６６】
この琴状細管案内具３５によって、各給水量調整用細管２５，…は、外観視した場合、あたかも琴の弦のように見えて見栄えが良好になる。さらに、琴状細管案内具３５と陶磁器製の水琴窟本体１とで、本願特有の和風感覚の水琴窟としての風合を醸し出している。
【００６７】
加えて、導出された給水量調整細管２５，…の上端開口部は、保水部材３４の上面の中央部から周縁部に分散して配設されている。例えば、水滴落下用天板３０が円形状であれば、十字線上、同心円上、渦巻き線上、放射状のいずれかを選択して給水量調整細管２５，…の上端開口部を配設してもよく、多角形状であれば、その重心と各辺の中心を結ぶ二等分線上に配設してもよい。
【００６８】
なお、給水量調整細管２５，…の上端開口部を、保水部材３４の上面でなく、水滴落下用天板３０の水滴落下兼細管挿通穴３１，…、又は、給水溝３２，…の近傍に配設してもよい。要するに、給水量調整細管２５，…は、保水部材３４の上面、水滴落下用天板３０の水滴落下兼細管挿通穴３１，…、給水溝３２，…の少なくともいずれか一方に配設され、且つ、水滴落下用天板３０の中心部から周縁部に分散され、多種多様の音色、リズム、音響、余韻を放出できればよい。
【００６９】
音量拡大音響管４０は、細長い円弧状の導管部４１と、水琴窟本体１の音響穴２に取り付けられる導管取付部４２と、ラッパ状の放出口４３とを備えている。導管部４１は、全体の長さが３５ｃｍ〜４０ｃｍ、中央部の最も細いところで内径３０ｍｍ〜４０ｍｍ程度、厚さが７ｍｍ〜８ｍｍ位で成形されている。放出口４３は、直径が８ｃｍ〜１３ｃｍ位の略楕円形を呈している。
【００７０】
さらに、音量拡大音響管４０は、８００℃位で素焼きし、釉薬を施した後１２５０℃位で焼成されている。
【００７１】
そして、水琴窟本体１の音響穴２からの水滴音が、音量拡大音響管４０の導管部４１において共鳴されると共に、音量が拡大され、一定の方向（本実施形態では前方）へ放散せずに集約して金属性の音となって放出される。静寂な場所であれば１５ｍ以上の距離からでも水滴音を聞くことができる。また、６６ｍ２以上の広さを有する部屋でも水滴音を楽しむことができる。
【００７２】
なお、音量拡大音響管４０は、水琴窟本体１と一体成形してもよいが、分離してもよく、音量拡大音響管４０の放出口４３の形状は、図示に限定されるものではない。例えば、図５に示すように、円形状の放出口４４であってもよい。
【００７３】
脚付き連結台５０は、水琴窟本体１の底部が固着された大連結部５１と、水瓶１０の底部が固着された小連結部５２と、大連結部５１の底面及び小連結部５２の底面に突設された複数の半球形状の脚部５３，…とを備えている。さらに、水琴窟本体１及び水瓶１０の支持強度、水琴窟本体１からの音響（振動）を考慮して陶磁器を使用している。なお、木材や樹脂材を使用してもよいが、これらの部材は音響（振動）を吸収しやすいため、音響効果の得られる部材が好ましい。
【００７４】
また、水滴落下用天板３０、音量拡大音響管４０、琴状細管案内具３５は、水琴窟本体１と一体にして成形し、結合させて焼成することが好ましく、これによって、水滴音の共鳴がよくなる。但し、焼成する場合は収縮のバランスを崩し、ひび割れの原因となりやすく十分な注意を要する。なお、水滴落下用天板３０、音量拡大音響管４０、琴状細管案内具３５を分離して焼成した後で結合してもよい。この場合には、その密着の良否が音の共鳴の良否を左右することになる。
【００７５】
つぎに本発明の水琴窟の使用態様について説明する。まず、所定量の水を水琴窟本体１に給水すると、連結ホース１６を介して水瓶１０にも給水されることになる。この際、水面の高さが水琴窟本体１の底面から１５ｃｍ〜２０ｃｍ程度になるように、測定バー１１のフロート１２の位置を目視しながら調整する。
【００７６】
つぎに、水瓶１０のポンプ２０を作動させて、水瓶１０の貯留水を吸い上げると、給水ホースを通って複数の給水量調整用細管２５，…に送水される一方、排水ホース２８を通って複数の排水量調整用細管２７，…に送水される。
【００７７】
この際、給水量調整用細管２５，…には、ポンプ２０から略一定に調整された水量が給水されることになり、ポンプ２０、給水量調整用細管２５，…、水滴落下用天板３０による点滴方式によって、多種多様な音色と音量が発生することになる。
【００７８】
即ち、給水量調整用細管２５の上端開口部から滴下した水滴が保水部材３４に給水されると、保水部材３４が保水飽和の状態となり、水滴落下用天板３０の給水溝３２，…によって、水滴落下用天板３０の全面にわたって略均一に給水が行われることになる。そして、保水部材３４から水滴落下用天板３０の水滴落下兼細管挿通穴３１，…に略均等に分散して給水される。水滴落下兼細管挿通穴３１，…においては、給水量調整用細管２５，…からの水の供給量に比例して水滴が生成されて水琴窟本体１に落下する。
【００７９】
この際、十字線上に沿って水滴落下兼細管挿通穴３１，…が穿設されているため、水滴落下位置も十字線状になり、水滴の落下位置、例えば、水面の中心部と外周部とでは反響及び音質の異なる水滴音が発生する。
【００８０】
そして、上述した水滴に加えて、水滴落下用天板３０の突起３３，…に付着した自然蒸発によって生成された水滴も落下することになり、給水によって生成された水滴音と、自然蒸発によって生成された水滴音とを聞くことができる。
【００８１】
なお、前記実施形態の場合、水琴窟本体１の素材を粘土によって製造したが、金属、石材であってもよい。要するに、水琴窟本体１は、水滴音の共鳴する素材であればよい。
【００８２】
また、前記実施形態の場合、平面視円板形状の水滴落下用天板３０を使用したが、平面視四角形状の水滴落下用天板３０を使用してよい。要するに、水滴落下用天板３０の形状は図示に限定されるものではなく、複数の給水量調整用細管２５，…を分散して配置できればよく、水琴窟本体１の貯留水の水面に落下する水滴を分散し、リズムを変えることができればよい。
【００８３】
さらに、前記実施形態の場合、水滴落下用天板３０の給水溝３２，…は、一本の中心線上に沿って形成された直線状の溝と、該溝を挟んでその両側に平行して形成された複数の直線状の溝とで構成するようにしたが、碁盤目、渦巻、同心円の線上に形成してもよい。要するに、給水溝３２，…の形状は、図示に限定されるものではなく、水滴落下用天板３０と同様に、水琴窟本体１の貯留水の水面に落下する水滴を分散し、リズムを変えることができればよい。
【００８４】
このように、本発明の水琴窟によれば、オブジェ風で見て美しく、簡単に移動ができ、多種多様の音色の変化と、その音量を拡大し、陶磁器が持つ特有の響きを発生させる水琴窟で、人が求める「心の安らぎ」に答えるものである。
【００８５】
加えて、前記実施形態の場合、脚付き連結台５０を、水琴窟本体１の大連結部５１と水瓶１０の小連結部５２とで構成するようにしたが、脚付き連結台５０としては、水琴窟本体１と水瓶１０とを連結できて、水琴窟本体１の底部と設置面との間に反響音を引き出せる空間を形成できればよく、図示に限定されるものではない。
【００８６】
また、前記実施例の場合、保水部材３４を使用したが、保水部材３４を使用しないで、給水量調整用細管２５，…を水滴落下兼細管挿通穴３１，…に直接挿通してもよい。この場合、水滴落下兼細管挿通穴３１，…を適宜選択することによって、異なった幾つかの音色とリズムを選択できる。また、落下音と落下音の間隔は給水量調整用細管２５，…の本数によっても選択できる。
【００８７】
【発明の効果】
以上説明したように、本発明によれば、底部に所定量の水を貯留した壷状の水琴窟本体の底部に水瓶を連結するようにしたので、外部から水琴窟本体の貯水量を調整できる。
【００８８】
さらに、水瓶の貯留水にポンプを水没させたため、ポンプによって、一定の圧力で水瓶からの給水が可能になると共に、ポンプの作動音の水琴窟本体への影響を阻止できる。
【００８９】
加えて、水琴窟本体の上面開口部に、水滴落下兼細管挿通穴、及び、給水溝を有する水滴落下用天板を設けたので、水滴落下兼細管挿通穴を適宜選択することで水滴音を分散できる。しかも、給水溝によって、水滴落下用天板の給水が均一化される。
【００９０】
また、水琴窟本体の側壁に穿設された音響穴にラッパ状の音量拡大音響管を設けたため、音量の拡大できると共に、音響の集約が可能になり、さらに、音の指向性を持たせることができる。
【００９１】
さらに、複数本の給水量調整用細管の下端開口部をポンプに連結し、給水量調整用細管の上端開口部を、水滴落下用天板に穿設された水滴落下兼細管挿通穴、水滴落下用天板の給水溝、水滴落下用天板の上面に敷設した保水部材の少なくともいずれか一方に位置させるようにしたので、多種多様な水滴音の音色、音響、余韻を聞くことできる。
【図面の簡単な説明】
【図１】本発明の一実施形態の水琴窟を示した斜視図である。
【図２】図１の縦断面図である。
【図３】水琴窟本体の上面開口部、及び、水滴落下用天板の拡大断面図である。
【図４】図１の音量拡大音響管の斜視図である。
【図５】音量拡大音響管の変形例を示した斜視図である。
【符号の説明】
１  水琴窟本体
２  音響穴
３  取手
４  アーム
５  連結リング
１０  水瓶
１１  測定バー
１２  フロート
１３  水位目盛り
１４  ガイド
１５  フック
１６  連結ホース
２０  ポンプ
２１  吸水口
２２  送水口
２３  吸盤
２４  電源コード
２５  給水量調整用細管
２６  給水ホース
２７  排水量調整用細管
２８  排水ホース
２９  消音部材
３０  水滴落下用天板
３１  水滴落下兼細管挿通穴
３２  給水溝
３３  突起
３４  保水部材
３５  琴状細管案内具
３６  貫通穴
３７  支持体
４０  音量拡大音響管
４１  導管部
４２  導管取付部
４３  放出口
４４  放出口
５０  脚付き連結台
５１  大連結部
５２  小連結部
５３  脚部
【図１】
2005010332.tif 000003
【図２】
2005010332.tif 000004
【図３】
2005010332.tif 000005
【図４】
2005010332.tif 000006
【図５】
2005010332.tif 000007